(57)【要約】【課題】  ペルチェ素子により冷却する保冷ケースを備えた洗面化粧台において、簡単な構成にてペルチェ素子の放熱面を効率的に冷却する事を目的とするものである。【解決手段】  ペルチェ素子により冷却される保冷ケースを配置した洗面化粧台において、ペルチェ素子の放熱面に放熱フィンを装着すると共に、給気ファンにより放熱フィンに送風し、排気ファンにより給気ファンによって放熱フィンに送風された空気を外部に排気する事を特徴として成る。【選択図】        図２
2006250379.tif 000002
【特許請求の範囲】
【請求項１】
ペルチェ素子により冷却される保冷ケースを配置した洗面化粧台において、上記ペルチェ素子の放熱面に放熱フィンを装着すると共に、給気ファンにより上記放熱フィンに送風し、排気ファンにより上記給気ファンによって放熱フィンに送風された空気を外部に排気する事を特徴とする洗面化粧台。
【請求項２】
上記給気ファンと排気ファンを並設すると共に、給気ファンの吸気孔と排気ファンの排気孔の少なくとも一方をこれらが離れる方向に傾斜して配置した事を特徴とする、上記請求項１に記載の洗面化粧台。
【発明の詳細な説明】
【技術分野】
【０００１】
本発明は、ペルチェ素子により冷却する保冷ケースを備えた洗面化粧台に関する。
【背景技術】
【０００２】
ペルチェ素子により冷却する保冷室を備えた洗面化粧台では、例えば特許文献１に示される様に、床面に設置されるフロアキャビネット１の上方に、前面パネル５を介してミラーキャビネット６を配置し、このミラーキャビネットの鏡２１の裏面に保冷室Ｃを形成したものがある。
【特許文献１】特開２００３−５６９６４号公報
【発明の開示】
【発明が解決しようとする課題】
【０００３】
又、上記特許文献１に示される洗面化粧台では、放熱室Ｈの上に保冷室Ｃを設け、これら放熱室と保冷室の間に熱源となるペルチェ素子を配置し、このペルチェ素子の放熱面１３ｂに放熱フィン１６当接し、この放熱フィンを一対の放熱ファン１７，１８により冷却している。
【０００４】
一方、上記放熱ファン１７，１８は、互いに並設して左右の吸気孔８ａ，８ｂより外気を吸引して下方の排気孔より排気し、排気が吸気孔より吸引されにくく、冷却効率の良い構成としているが、吸排気孔を３面に配置する必要があり、これらの配置構成による部品点数の増加等に伴い、コストアップを招くという問題がある。
【０００５】
そこで本発明は、比較的簡単な構成にてペルチェ素子の放熱面を効率的に冷却する事を目的とするものである。
【課題を解決するための手段】
【０００６】
本発明の請求項１の構成は、ペルチェ素子により冷却される保冷ケースを配置した洗面化粧台において、ペルチェ素子の放熱面に放熱フィンを装着すると共に、給気ファンにより放熱フィンに送風し、排気ファンにより給気ファンによって放熱フィンに送風された空気を外部に排気して成るものである。
【０００７】
本発明の請求項２の構成は、請求項１の構成において、給気ファンと排気ファンを並設すると共に、給気ファンの吸気孔と排気ファンの排気孔の少なくとも一方をこれらが離れる方向に傾斜して配置して成るものである。
【発明の効果】
【０００８】
本発明の請求項１に記載の構成により、給気ファンと排気ファンにより外気をペルチェ素子の放熱面に送風することで、放熱面への給排気量を確保し、ペルチェ素子の放熱面を効率的に冷却する事が出来るものである。
【０００９】
本発明の請求項２に記載の構成により、給気ファンと排気ファンを並設することで、これらの吸排気面を一箇所に集中し、吸排気路を形成する構成を簡素化出来ると共に、これらの少なくとも一方を互いに離れる方向に傾斜したことで、排気ファンの排気孔から排出された温風の給気ファンへの吸引を防止し、吸引による冷却効果の低減を防止する事が出来るものである。
【発明を実施するための最良の形態】
【００１０】
本発明の実施例を先ず図１に基づき説明すると、１は洗面化粧台本体で、洗面所等の床面に設置される化粧台２と、この化粧台の上面後端部の上に設置される鏡ケース３とで構成している。
【００１１】
上記化粧台２は、前面に扉４や複数の引出し５，５を開閉或いは出し入れ自在に装着していると共に、天面に洗面器６を一体的に装着している。
【００１２】
上記鏡ケース３は、前面に左右方向に３分割した鏡７，８，９を開閉自在に枢支し、かつこれら鏡の内部に図示しない複数の収納棚を配置している。
【００１３】
一方、上記鏡９の内部には、その下部に保冷ユニット１０を収納配置していると共に、この保冷ユニットの上方に複数の棚１１，１１で区画した収納室１２，１２を形成している。
【００１４】
又、上記保冷ユニット１０は、図２にても示す様に、ユニットケース１３内の中央部上方寄りに、前面を開口し、かつ金属板にて形成した保冷ケース１４を収納配置していると共に、底面を除く外周囲を発泡ウレタン等の断熱材１５で包囲している。
【００１５】
そして、上記保冷ケース１４の底板１６の底面にペルチェ素子１７の吸熱面１７ａを密着固定し、かつペルチェ素子１７の放熱面１７ｂにはアルミニウムや銅等の熱伝導率の高い金属で形成した放熱フィン１８を密着固定している。
【００１６】
更に、上記ユニットケース１３内の放熱フィン１８下方には、給気ファン１９と排気ファン２０を左右横並びに並設していると共に、ユニットケース１３底板２１の各ファンの対向位置には、吸気孔２２と排気孔２３とを穿孔している。
【００１７】
これにより、上記給気ファン１９と排気ファン２０の回転により、吸気孔２２より外気を吸引して放熱フィン１８に送風して放熱フィンを冷却し、かつこの冷却後の温風を排気ファン２０にて排気孔２３より外部に排出する。
【００１８】
これらの構成により、吸気孔２２と排気孔２３を一箇所に集中して並設配置したことで、保冷ユニット１０をユニット化し、これらを収納する部分の構成を簡素化する事が出来ると共に、放熱フィン１８への給気と、放熱フィン１８周囲の排気とを各々専用のファンにて行うことで、給排気通路や放熱フィン１８による流路抵抗の影響を受け難く、確実に給排気を行い、ペルチェ素子１７の放熱面を効率的に冷却する事が出来るものである。
【００１９】
一方、上記給気ファン１９と排気ファン２０は、例えばＶ字状に配置して給気ファン１９の吸気面と排気ファン２０の排気面とが互いに離れる方向に傾斜させ、排気孔２３より排出された排気が吸気孔２２より吸引され難い構成とし、これにより、排気の吸引による放熱フィン１８への給気温度の上昇によるペルチェ素子１７の冷却能力の低下を防止する事が出来るものである。
【００２０】
尚、上記実施例では給気ファン１９と排気ファン２０を互いに離れる方向に傾斜させているが、どちらか一方のみ傾斜させても良く、かつユニットケース１３底板２１を水平配置としているが、給気ファン１９や排気ファン２０と平行に傾斜させても良い。
【００２１】
又、上記実施例では保冷ケース１４の底板１６にペルチェ素子１７を密着固定しているが、保冷ケース１４の天面や側面に固定しても良く、保冷ケース１４を樹脂にて構成してその適所に熱伝導率の高い金属板を埋設し、この金属板にペルチェ素子１７の吸熱面１７ａを密着固定しても良い。
【００２２】
而して、ペルチェ素子１７や給気ファン１９、排気ファン２０に通電することで、ペルチェ素子１７の吸熱面１７ａにて保冷ケース１４を冷却し、この保冷ケース１４内に収納された化粧品や洗面道具等を冷却し、これらの夏場等における変質や劣化を防止する事が出来るものである。
【００２３】
又、上記ペルチェ素子１７の吸熱面１７ａによる冷却にて放熱面１７ｂが温度上昇するが、給気ファン１９と排気ファン２０により放熱フィン１８が冷却され、この放熱フィンにて放熱面１７ｂが確実に冷却される。
【図面の簡単な説明】
【００２４】
【図１】本発明の実施例を示す斜視図である。
【図２】同じく要部の一部破断による正面図である。
【符号の説明】
【００２５】
１４    保冷ケース
１７    ペルチェ素子
１７ｂ  放熱面
１８    放熱フィン
１９    給気ファン
２０    排気ファン
２２    吸気孔
２３    排気孔
【図１】
2006250379.tif 000003
【図２】
2006250379.tif 000004